(57)【要約】【課題】ユーザーが自由に位置情報や画像を記録することができる記録装置を提供すること。【解決手段】記録媒体に、それ自体の記録位置に対応付けられる位置情報の画像と、その他の画像との内の少なくとも一方を記録するときに、その他の画像と混同しない位置情報の画像の検出を可能とするために位置情報の画像の記録用記録材とその他の画像の記録用記録材との種類を異ならせる。【選択図】        図５
2004167815.tif 000002
【特許請求の範囲】
【請求項１】
記録媒体に記録材を付与することによって記録が可能な記録装置において、
前記記録媒体に、それ自体の記録位置に対応付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする記録装置。
【発明の詳細な説明】
【０００１】
【発明の属する技術分野】
本発明は、記録媒体に記録材を付与することによって、それ自体の記録位置に対応付けられる位置情報の画像と、その他の画像との内の少なくとも一方を記録可能な記録装置に関するものである。
【０００２】
【従来の技術】
従来、シアン（Ｃ），マゼンタ（Ｍ），イエロー（Ｙ）等のカラーインク、またはこれらにブラック（Ｂｋ）インクを加えた複数色のインクを使用して記録媒体に記録を行う記録装置が知られている。
【０００３】
一方、文字などを手書することができる記録媒体として、例えば、その記録領域の全域に渡って所定の位置情報が予め印刷されたものが知られている。この位置情報は、それ自体が記録媒体において記録される位置を示す情報、つまり記録位置が記録媒体上の座標と関連付けられる情報を含むものであり、例えば、記録領域内に記録された複数の黒点パターンの組合せなどによって表すことができる。
【０００４】
このような位置情報が記録された記録媒体上に文字などを手書きする場合、画像の検出・読み取りが可能な小型カメラと一体化されたペンを用いることにより、記録媒体上におけるペン先の位置の周囲の上記パターンを上記カメラによって検出し、そのパターンから文字が書かれた位置およびその軌跡である文字等を認識することができる。なお、この手書き文字などの認識は、カメラの検出信号を、例えば無線通信を介してカメラからパーソナルコンピュータなどの種々の情報処理装置に送り、その情報処理装置による処理によって行うことができる。以下、このようなペンを用いて手書き文字などを入力する方法を「ペン入力法」ともいう。
【０００５】
【発明が解決しようとする課題】
しかしながら、上記のような位置情報は予め記録媒体に印刷されたものであり、ユーザーは、この位置情報が、例えば記録媒体の全面に印刷された記録媒体を購入して使用することとなる。このため、記録媒体の使用目的に応じて、例えば、手書き位置を特定する領域の形状、サイズ、相対的位置などを柔軟に設定できないなど、位置情報を記録媒体に自由に記録して使用することができなかった。また、このような位置情報が印刷済みの記録媒体を用い、これに記録装置を用いて画像を記録しようとする場合、上述した位置情報の読み取りが阻害されて、最早、その位置情報としての機能を果たさなくなるおそれもある。このため、ユーザーは、記録装置により、位置情報が印刷済みの記録媒体に対して任意の画像を自由に記録することができなかった。
【０００６】
本発明の目的は、ユーザーが自由に位置情報や画像を記録することができる記録装置を提供することにある。
【０００７】
【課題を解決するための手段】
本発明の記録装置は、記録媒体に記録材を付与することによって記録が可能な記録装置において、前記記録媒体に、それ自体の記録位置に対応付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする。
【０００８】
【発明の実施の形態】
以下、図面を参照して本発明の実施形態を詳細に説明する。
（第１の実施形態）
図１は、本発明を適用可能な記録装置の例として、インクジェット記録装置を説明するための図である。
【０００９】
インクジェット記録装置（本実施形態ではプリンタ形態の装置）１００の前側の給紙位置から矢印Ｐ方向に挿入された記録媒体１０５は、記録装置１００の後側にて搬送方向が反転されてから、送りローラ１０６によって矢印Ｒの副走査方向に送られて、記録ヘッド１０４の記録可能領域へ搬送される。記録可能領域における記録媒体１０５の下側位置には、プラテン１０７が設けらている。キャリッジ１０１は、２つのガイド軸１０２，１０３によって、それらの軸方向に沿う矢印Ｑ１，Ｑ２の主走査方向に移動可能となっており、不図示のステッピングモータの駆動により、記録領域を含む走査領域を往復走査する。キャリッジ１０１には、吐出口からインクを吐出可能な記録ヘッド１０４が搭載されている。記録ヘッド１０４の１回の主走査の終了後、記録媒体１０５を矢印Ｒの副走査方向に一定量だけ送ってから、次の主走査に備える。これらの主走査と副走査を繰り返すことによって、記録媒体１０５の１頁に画像を記録する。
【００１０】
本例の記録ヘッド１０４は、インクを収容するインクタンクと分離可能な形態または一体的に結合された形態でインクジェットカートリッジを構成する。記録ヘッド１０４は、インクタンクから供給されたインクを図中下向きの吐出口から記録媒体１０５に向かって吐出することによって、その記録媒体１０５上に画像を記録する。また、１０８はスイッチ部と表示部の配置部位であり、スイッチ部は記録装置の電源のオン／オフの切り替えや各種記録モードの設定等に使用され、表示部は記録装置の状態を表示可能に構成されている。
【００１１】
また、本例の記録ヘッド１０４はＹ，Ｍ，Ｃ，Ｂｋ（イエロー，マゼンタ，シアン，ブラック）の４色のインクを吐出可能であり、Ｙ，Ｍ，Ｃインク吐出用の吐出口数は各１２８、Ｂｋインク吐出用の吐出口数は３２０である。各インク色毎の吐出口は副走査方向に列状に配置されており、それらの吐出口の配置ピッチは、１／６００ｄｐｉ（ドット／インチ）に相当する約４２ミクロンである。記録ヘッド１０４は、吐出口ごとに電気熱変換体であるヒータを備え、このヒータが発生する熱エネルギーを利用してインクに気泡を生じさせ、この気泡の圧力によってインクを吐出する方式のものである。また、記録ヘッド１０４の駆動周波数は１５ｋＨｚであり、主走査方向に対して６００ｄｐｉの密度で記録動作が可能である。したがって、記録動作時のキャリッジ１０１の主走査方向の移動速度は２５ｉ／ｓ（インチ／秒）となる。
【００１２】
ここで、Ｂｋインクは、後述されるように、カーボンブラックを含む顔料を色材としたインク（以下、「カーボンＢｋインク」ともいう）であり、一方、Ｙ，Ｍ，Ｃの各インクは染料を色材としたインク（以下、「染料インク」ともいう）である。また、カーボンＢｋインクの吐出量は約３０ｐｌ（ピコリットル）、Ｙ，Ｍ，Ｃの各染料インクの吐出量は各約５ｐｌであり、１ドットの形成毎に、これらの体積の液体インクが吐出される。この記録装置による記録解像度は６００×６００ｄｐｉであり、記録媒体１０５は普通紙と呼ばれる通常使用の記録媒体を使用し、記録ヘッド１０４から吐出されるＢｋインク滴は１／６００インチ角の記録領域中に１ドットを形成し、Ｙ，Ｍ，Ｃのカラーインク滴は１／６００インチ角の記録領域中に２ドットを形成する。これらの数値は、同じ普通紙でも記録媒体１０５の特性に応じて変化する場合がある。本例の記録装置は、一般的に入手でき広く用いられている記録媒体の特性に合わせた設計となっている。
【００１３】
図２は、上記インクジェット記録装置における制御構成の主要部を示すブロック図である。上位（ホスト）装置５００から下位装置である記録装置１００に対して、記録すべき文字や画像の記録データが送信され、そのデータが受信バッファ４０１に蓄えられる。また、正しくデータが転送されているかどうかを確認するためのデータ、および記録装置１００の動作状態を知らせるためのデータが記録装置１００からホスト装置５００に送信される。ここで、上位装置５００とは、ＰＣ（パーソナルコンピュータ）やデジタルカメラ等であり、下位装置である記録装置１００に対して記録デ−タの送信が可能な装置である。
【００１４】
受信バッファ４０１に蓄えられたデータは、ＣＰＵ４０２の管理下において、記録ヘッド１０４の主走査時に記録を行うためのデ−タに加工され、ランダムアクセスメモリ部（ＲＡＭ）４０３内のプリントバッファ部に記憶される。プリントバッファ部のデータは、記録ヘッドコントロール部４１０によって記録ヘッド１０４に転送され、そのデータに基づいて記録ヘッド１０４が駆動されることにより各色のインク吐出が行われ、文字などを含む画像が記録される。また、記録ヘッドコントロール部４１０は、記録ヘッド１０４の状態を示す温度情報等を検出してＣＰＵ４０２に送り、その情報に基づいて記録ヘッドコントロール部４１０が記録ヘッド１０４の駆動を制御する。
【００１５】
機械コントロール部４０４は、ＣＰＵ４０２からの指令により、キャリッジ１０１移動用のキャリッジモータや記録媒体１０５搬送用のラインフィードモータ等の機械部４０５を駆動制御する。センサ／ＳＷコントロール部４０６は、各種センサやＳＷ（スイッチ）からなるセンサ／ＳＷ部４０７からの信号をＣＰＵ４０２に送る。表示素子コントロール部４０８は、ＣＰＵ４０２からの指令に応じて、表示パネル群のＬＥＤや液晶表示素子等からなる表示部４０９を制御するように構成されている。
【００１６】
記録装置１００は、複数の記録モードの中からユーザーの選択入力に応じた記録モードを選択し、その選択された記録モードによって画像の記録が可能な構成となっている。例えば、高速に記録したい場合には１パス記録のモードを選択し、画像を高品位に記録したい場合には１６パス記録のモードを選択する。１パス記録モードは、同一の記録領域に対して記録ヘッド１０４の１回の記録走査によって画像を記録するためのモードであり、１６パス記録モードは、同一の記録領域に対して記録ヘッド１０４の副走査方向の位置を所定量づつずらしながら（記録媒体の搬送をしながら）、１６回の主走査によって画像を記録するためのモードである。
【００１７】
図３は、図２に示した上位装置としてのホストコンピュータ５００の構成を示すブロック図であり、このホストコンピュータ５００と図２にて説明した記録装置１００は、記録システムを構成する。
【００１８】
図３において、ホストコンピュータ５００は、ＣＰＵ２０２と、メモリ２０３と、外部記憶装置２０４と、入カ部２０５と、記録装置１００であるインクジェットプリンタとのインターフェイス２０６と、を備えている。ＣＰＵ２０２は、メモリ２０３に格納された種々のプログラムに従い各種の処理を実行し、例えば、入力部２０５を介したユーザの入力に応じて、画像（本明細書では文字などのキャラクタを含む）の作成、編集にかかる処理を実行する。そして、このような画像を記録する場合、上記プログラムの１つであるプリンタドライバによって、色変換等の画像処理を行ない、記録装置１００で用いる記録データを作成する。詳しくは、上記作成、編集された画像のＲ、Ｇ、Ｂデータに対して、色変換、出力γ補正、量子化（２値化）など所定の画像処理を行い、Ｃ、Ｍ、Ｙの２値データを得る。また、この画像処理において、図４にて後述される黒点パターンを記録するためのカーボンＢｋインク用のＢｋの２値データを得る。ホストコンピュータ５００は、インターフェイス２０６を介して記録装置１００に接続されており、このような画像処理によって得られた記録データが記録装置１００に送られることにより記録が行われる。
【００１９】
なお、上記各種プログラムは、外部記憶装置２０４に記憶されてもよく、あるいは外部装置から供給される形態でもよい。
【００２０】
図４は、上述したペン入力法において用いられる位置情報の一例を説明する図であり、本実施形態では、この位置情報の画像を記録装置１００によって記録する。詳しくは、１つの記録媒体に、この位置情報の画像をカーボンＢｋインクによって記録し、また、位置情報以外の通常の画像（以下、「他の画像」ともいう）をＣ、Ｍ、Ｙの各染料インクで記録する。
【００２１】
位置情報は、記録媒体１０５上における記録可能な領域の、例えば、全域に渡って点在する黒点の所定のパターンとして記録される。詳しくは、黒点は、記録媒体１０５上において想定した所定間隔の格子点を基準に記録され、例えば、格子間隔が約０．３ｍｍの各格子点の近傍に１つずつ記録される。図４に示すように、黒点の記録位置は格子点に対する位置関係により４つあり、格子点よりも上の位置Ｕ、格子点よりも下の位置Ｄ、格子点よりも右の位置Ｒ、格子点よりも左の位置Ｌのいずれかである。そして、このような黒点の所定の複数が形成する位置パターンが「位置情報」を構成する。具体的には、例えば、格子点の所定の２次元配列におけるそれぞれの格子点近傍に記録される黒点の位置のパターンを、上記２次元配列で構成される単位領域毎に異ならせることにより、それぞれの位置パターン、つまり上記Ｕ、Ｄ、Ｒ、Ｌの組合せが、その単位領域の「位置情報」となる。この位置情報は、上述したように、ペン先端のカメラが黒点のパターンを検出し、その位置パターンを単位領域ごとに読取ることにより、そのペン先がおかれた記録媒体における位置を知ることができ、あるいはペン先がおかれた位置が予め定めた記録媒体上の特定の領域であることを知ることができる。
【００２２】
また、この「位置情報」は、上記Ｕ、Ｄ、Ｒ、Ｌの組合せの場合の数を考慮すると、１枚の記録媒体の範囲を遥かに超えた膨大な仮想平面における位置を示す情報として利用することもできる。例えば、黒点の位置パターンとして同一のパターンを２度以上記録しない場合には、位置パターンと記録媒体個々を対応付けることによって、その黒点による位置パターンが記録された記録媒体１枚、１枚を特定することも可能となる。
【００２３】
以上のような位置情報が記録された記録媒体１０５上に文字などを手書きする場合には、小型カメラと一体化されたペン（ペン一体型カメラ）を用いて手書きすることにより、上記のように「位置情報」を読み取ることができるとともに、手書きされた文字などを含む画像を読み取ることができる。すなわち、そのペン先が移動する位置の軌跡を上記「位置情報」によって知ることができ、これにより、手書き文字などを認識することができる。なお、この手書き文字などの認識は、カメラの検出信号を入力する種々の情報処理装置によって行うことができる。
【００２４】
このようにカメラによって黒点のパターンを検出すべく、本例では、上述のとおり、このパターンがカーボンＢｋインクによって記録され、また、カメラはそのインクによる記録媒体１０５上のカーボンを検出する構成となっている。また、通常の画像は、カーボンを含まないＹ，Ｍ，Ｃの染料インクによって記録される。すなわち、本例のカメラは、これらの染料には反応せず、これらの画像は検出できない。
【００２５】
図５は、記録装置１００によって、黒点のパターンデータに基づく位置情報の画像の記録と、その他の画像の記録データに基づく通常の画像の記録と、を同時に行う場合の処理手順を説明するためのフローチャートである。本例の記録装置１００において、Ｂｋインク吐出用の記録ヘッドはカーボンを含んだＢｋインクを吐出するものであり、Ｙ，Ｍ，Ｃインク吐出用の記録ヘッドはカーボンを含まないＹ，Ｍ，Ｃインクを吐出するものである。
【００２６】
まず、記録装置１００の上位装置５００としてのＰＣ（パーソナルコンピュータ）を用いて、ユーザーが記録したい文字を含む通常の画像（その他の画像）を選択して、記録ボタンを押すことによって処理をスタートする。そして、位置情報の画像記録のための処理（ステップＳ１，Ｓ２）と、その他の画像記録のための処理（ステップＳ３，Ｓ４）との２種類の処理を開始する。
【００２７】
ステップＳ１においては位置情報の画像を記録するための黒点パターンデータを読み込み、ステップＳ２において、Ｂｋインク吐出用の記録ヘッドを用いて位置情報の画像を記録するためのＢｋ記録データを作成する。一方、ステップＳ３においては、ユーザーの記録したい画像（文字などを含む）を記録するための記録データを読み込み、ステップＳ４において、Ｙ，Ｍ，Ｃインク吐出用の記録ヘッドを用いて通常の画像（その他の画像）を記録するためのＹ，Ｍ，Ｃ記録データを作成する。通常の画像における黒色はＹ，Ｍ，Ｃインクによって記録する。したがって、黒色を含む通常のカラー画像はＹ，Ｍ，Ｃ記録データに基づいて記録されることになる。
【００２８】
作成されたＢｋ記録データとＹ，Ｍ，Ｃ記録データはステップＳ５にて合成される。この合成は単純な動作であり、通常の記録システム同様に、Ｙ，Ｍ，Ｃ，Ｂｋの記録データをそれぞれのプリントバッファに展開する処理である。
【００２９】
その後、そのプリントバッファに展開されたＹ，Ｍ，Ｃ，Ｂｋの記録データに基づいて、位置情報と画像を記録する（ステップＳ６）。すなわち、Ｂｋ記録データに基づき、カーボン含有のＢｋインクを用いて位置情報を記録し、Ｙ，Ｍ，Ｃ記録データに基づき、カーボンを含有しないＹ，Ｍ，Ｃインクを用いて画像を記録する。
【００３０】
このように、画像と共に記録媒体１０５に記録された位置情報は、カーボンを検出するセンサを用いることにより、画像と混同することなく検出することができる。したがって、上述したように、カーボンを検出可能な小型カメラと一体化されたペンを用い、そのペン先の移動軌跡上における位置情報をカメラによって読み取ることにより、手書き文字などを認識することができる。
【００３１】
位置情報をペン入力法において用いる場合には、その位置情報の画像を記録媒体１０５の全記録領域に渡って記録することにより、その全記録領域内における手書き文字などを認識することができる。また、文字などが手書きされる記録媒体１０５の部分のみに、位置情報を記録してもよい。このように、位置情報の利用目的に応じて、その記録範囲を設定することができる。いずれにしても位置情報は、それが記録される位置と関連付けられる情報、つまり記録媒体１０５上の座標位置と関連付けられる情報である。また、このような位置情報の画像は、通常の画像と混同することなく検出できるため、その通常の画像は位置情報の画像と全体的または部分的に重なるように自由に記録することができる。
【００３２】
また、図５中のステップＳ１，Ｓ２，Ｓ３，Ｓ４，Ｓ５の処理は、上位装置５００側において実行してもよく、あるいは記録装置１００において実行することもできる。また、図５中のステップＳ１，Ｓ２，Ｓ３，Ｓ４の処理を上位装置５００と記録装置１００に分けて実行することができる。例えば、ステップＳ１，Ｓ２，Ｓ５の処理を記録装置１００側にて実行し、かつステップＳ３，Ｓ４の処理を上位装置５００側にて実行したり、あるいは、テップＳ１，Ｓ２の処理を記録装置１００側にて実行し、かつステップＳ３，Ｓ４，Ｓ５の処理を上位装置５００側にて実行してもよい。後者の場合には、ステップＳ２にて作成したＢｋ記録データを上位装置５００に送信すればよい。
【００３３】
（第２の実施形態）
第１の実施形態においては、記録インクとして、カーボンを含有したＢｋインクと、カーボンを含有しないＹ，Ｍ，Ｃインクを用いたが、これに限定されるものではない。例えば、カーボンを含有しないＢｋインクをも用いることにより、より高品位の画像を記録することができる。
【００３４】
図６は、カーボンを含有しないＢｋインクをも用いた場合の処理手順を説明するためのフローチャートである。本例の場合は、Ｂｋインク吐出用の記録ヘッドとして、カーボン含有のＢｋ１インクを吐出する記録ヘッド、カーボンを含有しないＢｋ２インクを吐出する記録ヘッドと、カーボンを含有しないＹ，Ｍ，Ｃインクを吐出する記録ヘッドを用い、そして前述した第１の実施形態と同様に、黒点のパターンデータに基づく位置情報の画像記録と、通常の画像の記録データに基づく画像（その他の画像）の記録と、を同時に行う。
【００３５】
すなわち、ステップＳ１１においては位置情報の画像を記録するための黒点パターンデータを読み込み、ステップＳ１２において、Ｂｋ１インク吐出用の記録ヘッドを用いて位置情報の画像を記録するためのＢｋ１記録データを作成する。一方、ステップＳ１３においては、ユーザーの記録したい通常の画像を記録するための記録データを読み込み、ステップＳ１４において、Ｙ，Ｍ，Ｃ，Ｂｋ２インク吐出用の記録ヘッドを用いて通常の画像を記録するためのＹ，Ｍ，Ｃ，Ｂｋ２記録データを作成する。その通常の画像における黒色はＢｋ２インクによって記録する。したがって、通常のカラー画像はＹ，Ｍ，Ｃ，Ｂｋ２記録データに基づいて記録されることになる。
【００３６】
作成されたＢｋ１記録データとＹ，Ｍ，Ｃ，Ｂｋ２記録データはステップＳ１５にて合成される。この合成は単純な動作であり、通常の記録システム同様に、Ｙ，Ｍ，Ｃ，Ｂｋの記録データをそれぞれのプリントバッファーに展開する処理である。
【００３７】
その後、そのプリントバッファーに展開されたＹ，Ｍ，Ｃ，Ｂｋ１，Ｂｋ２の記録データに基づいて、位置情報の画像と、その他の通常の画像を記録する（ステップＳ１６）。すなわち、Ｂｋ１記録データに基づき、カーボン含有のＢｋ１インクを用いて位置情報の画像を記録し、Ｙ，Ｍ，Ｃ，Ｂｋ２記録データに基づき、カーボンを含有しないＹ，Ｍ，Ｃ，Ｂｋ２インクを用いて通常の画像を記録する。Ｂｋ２インクは、Ｙ，Ｍ，Ｃと同様の吐出量（例えば、５ｐｌ）とする。
【００３８】
（インクの処方例）
以下に、本発明において使用可能なインクのインクの処方例について説明する。
（１）カーボン含有のブラックインク（Ｂｋ，Ｂｋ１インク）
以下の成分を混合し、十分攪拌して溶解後、ポアサイズ３．０μｍのミクロフィルター（富士フィルム製）にて加圧濾過してブラックインクを調製した。
・下記の顔料分散体１                                    ３０部
・安息香酸アンモニウム                                    １部
・トリメチロールプロパン                                  ６部
・グリセリン                                              ５部
・ジエチレングリコール                                    ５部
・アセチレングリコールエチレンオキサイド付加物
（商品名：アセチレノールＥＨ）                      ０．１５部
・水                                              ５２．８５部
【００３９】
＜顔料分散体＞
比表面積が２６０ｍ２／ｇでＤＢＰ吸油量が１１５ｍｌ／１００ｇのカーボンブラック１０ｇと、ｐーアミノ安息香酸２．５ｇとを水７２ｇによく混合した後、これに硝酸１．６２ｇを滴下して７０℃で攪拌した。ここにさらに数分後、５ｇの水に１．０７ｇの亜硝酸ナトリウムを溶かした溶液を加え、さらに１時間攪拌した。得られたスラリーを濾紙（商品名：東洋濾紙Ｎｏ．２；アドバンティス社製）で濾過し、濾取した顔料粒子を十分に水洗し、９０℃のオーブンで乾燥させた。さらに、この顔料に水を足して顔料濃度１０重量％の顔料分散体を作製した。以上の方法によりカーボンブラックの表面に下記化学式に示される基を導入した。
【００４０】
【化１】
2004167815.tif 000003
【００４１】
（２）染料インク（Ｙ，Ｍ，Ｃ，Ｂｋ２インク）
Ｙ：（イエローインク）
以下の成分を混合し、十分攪拌して溶解後、ポアサイズ０．２μｍのミクロフィルター（富士フィルム製）にて加圧濾過し、イエローインクを調製した。
・アセチレングリコールエチレンオキサイド付加
物（商品名：アセチレノールＥＨ）                        １部
・ジエチレングリコール                                １０部
・グリセリン                                            ５部
・Ｃ．Ｉ．ダイレクトイエロー８６                        ３部
・水                                                  ８１部
【００４２】
Ｍ：（マゼンタインク）
以下の成分を混合し、十分攪拌して溶解後、ポアサイズ０．２μｍのミクロフィルター（富士フィルム製）にて加圧濾過し、マゼンタインクを調製した。
・アセチレングリコールエチレンオキサイド付加物
（商品名：アセチレノールＥＨ）                          １部
・ジエチレングリコール                                １０部
・グリセリン                                            ５部
・Ｃ．Ｉ．アシッドレッド３５                            ３部
・水                                                  ８１部
【００４３】
Ｃ：（シアンインク）
以下の成分を混合し、十分攪拌して溶解後、ポアサイズ０．２μｍのミクロフィルター（富士フィルム製）にて加圧濾過し、シアンインクを調製した。
・アセチレングリコールエチレンオキサイド付加物
（商品名：アセチレノールＥＨ）                          １部
・ジエチレングリコール                                １０部
・グリセリン                                            ５部
・Ｃ．Ｉ．アシッドブルー９                              ３部
・水                                                  ８１部
【００４４】
Ｂｋ２：（ブラックインク）
以下の成分を混合し、十分攪拌して溶解後、ポアサイズ０．２μｍのミクロフィルター（富士フィルム製）にて加圧濾過し、ブラックを調製した。
・アセチレングリコールエチレンオキサイド付加物
（商品名：アセチレノールＥＨ）                          １部
・ジエチレングリコール                                １０部
・グリセリン                                            ５部
・Ｃ．Ｉ．フードブラック２                              ３部
・水                                                  ８１部
【００４５】
（他の実施形態）
上述した実施形態のように、カーボンを検出するカメラなどのセンサを用いて位置情報を読み取る場合には、その位置情報の画像はカーボン含有の記録材（インクやトナーなど）を用いて記録し、その他の画像はカーボンを含有しない記録材（インクやトナーなど）を用いて記録すればよく、このような条件を満たす限り、それらの記録材の成分や色などは限定されない。例えば、カーボン含有の記録材をＢｋの顔料インク、カーボンを含有しない記録材を各色の染料インクまたは顔料インクとしてもよい。このように顔料インクと染料インクを用いる他、それらを混合したインクを用いることもできる。
【００４６】
また、本発明は、インクを吐出可能な記録ヘッドを用いたインクジェット記録装置の他、記録材を記録媒体に付与することによって記録を行う種々の記録方式の記録装置に広く適用することができる。
【００４７】
また、上述した実施形態においては、位置情報の画像とその他の画像とを１つの記録装置によって同時に記録する場合の構成例について説明した。しかし、１つまたは複数の記録装置によって位置情報の画像とその他の画像とを分けて記録することもできる。例えば、所定の記録装置によって位置情報の画像のみを記録して位置情報記録済みの記録媒体を作成し、その記録装置あるいは他の記録装置によって、その位置情報記録済みの記録媒体に対してその他の画像を記録することができる。また、１つまたは複数の記録装置によって、位置情報の画像を複数回に分けて記録したり、その他の画像を複数回に分けて記録してもよい。要は、その他の画像と混同せずに位置情報の画像が検出できるように、その他の画像の記録用記録材と位置情報の画像の記録用記録材の種類を異ならせることができればよい。
【００４８】
また、記録媒体に記録する位置情報は、上述したような「ペン入力法」において用いる他、センサによって位置情報を検出して種々の情報処理をするためのデータとして用いることもできる。また、位置情報の記録パターンは、上述したドットパターンのみに限定されず任意である。
【００４９】
また、上述した実施形態においては、カーボンを検出可能なペン一体型のカメラを用いて「ペン入力法」に対応して、位置情報をカーボン含有のＢｋインクによって記録した。しかしながら、ペン入力法において、位置情報の記録材は、カ−ボン含有のＢｋインクのみに限定されるものではなく、ペン一体型のカメラによって検出可能な記録材であればよい。例えば、カーボン含有のＢｋインクの代わりに、蛍光染料を含むインクを用いてもよい。その場合には、ジアミノスチルベン系が蛍光特性を有していることから、ジアミノスチルベンスルホン酸誘導体などを使用することが可能である。ペン一体型のカメラには、紫外波長を高感度で検出可能なセンサ、あるいは、フイルタ−を使用することもできる。その場合には、明度の高い色の記録材によって位置情報を記録することにより、文字などを含む画像の品位の劣化を防止することできる。この点、カ−ボン含有のＢｋインクによって位置情報を記録した場合には、その位置情報が上述したような微小ドット（黒点）とはいえ人間の目には粒子として映り、記録したい文字などを含む画像を多少ではあるが劣化させるおそれがある。
【００５０】
本発明は上述のように、複数の機器（たとえばホストコンピュータ、インタフェース機器、リーダ、プリンタ等）から構成されるシステムに適用しても一つの機器（たとえば複写機、ファクシミリ装置）からなる装置に適用してもよい。
【００５１】
また、前述した実施形態の機能を実現するように各種のデバイスを動作させるように該各種デバイスと接続された装置あるいはシステム内のコンピュータに、前記実施形態機能を実現するためのソフトウェアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【００５２】
またこの場合、前記ソフトウェアのプログラムコード自体が前述した実施形態の機能を実現することになり、そのプログラムコード自体、およびそのプログラムコードをコンピュータに供給するための手段、例えばかかるプログラムコードを格納した記憶媒体は本発明を構成する。
【００５３】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００５４】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００５５】
さらに供給されたプログラムコードが、コンピュータの機能拡張ボードやコンピュータに接続された機能拡張ユニットに備わるメモリに格納された後そのプログラムコードの指示に基づいてその機能拡張ボードや機能拡張ユニットに備わるＣＰＵ等が実際の処理の一部または全部を行い、その処理によって前述した実施形態の機能が実現される場合も本発明に含まれることは言うまでもない。
【００５６】
以下に、本発明の実施態様の例を列挙する。
［実施態様１］  記録媒体に記録材を付与することによって記録が可能な記録装置において、
前記記録媒体に、それ自体の記録位置に対応付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする記録装置。
【００５７】
［実施態様２］  前記記録材はインクまたはトナーであることを特徴とする実施態様１に記載の記録装置。
【００５８】
［実施態様３］  前記位置情報の画像の記録用記録材はカーボンを含有し、前記その他の画像の記録用記録材はカーボンを含有しないことを特徴とする実施態様１または２に記載の記録装置。
【００５９】
［実施態様４］  前記位置情報の画像の記録用記録材はカーボンを含む顔料または染料インクであり、前記その他の画像の記録用記録材はカーボンを含まない顔料または染料インクであることを特徴とする実施態様１に記載の記録装置。
【００６０】
［実施態様５］  前記位置情報の画像の記録用記録材は黒色であり、前記その他の画像の記録用記録材はカラー画像の記録が可能な複数色であることを特徴とする実施態様１から４のいずれかに記載の記録装置。
【００６１】
［実施態様６］  前記その他の画像の記録用記録材の複数色は、イエロー，マゼンタ，シアンを含むことを特徴とする実施態様５に記載の記録装置。
【００６２】
［実施態様７］  前記その他の画像の記録用色材の複数色は、イエロー，マゼンタ，シアン，ブラックを含むことを特徴とする実施態様５に記載の記録装置。
【００６３】
［実施態様８］  前記位置情報の画像は、複数の点の組合せによって記録されることを特徴とする実施態様１から７のいずれかに記載の記録装置。
【００６４】
［実施態様９］  前記位置情報は、それ自体が記録される前記記録媒体上の座標位置と関連付けられる情報であることを特徴とする実施態様１から８のいずれかに記載の記録装置。
【００６５】
［実施態様１０］  前記位置情報は、それ自体が記録される前記記録媒体上の範囲を超えた仮想面上における座標位置と関連付けられる情報であることを特徴とする実施態様１から９のいずれかに記載の記録装置。
【００６６】
［実施態様１１］  前記記録材としてのインクを吐出可能なインクジェット記録ヘッドを用いて記録をすることを特徴とする実施態様１から１０のいずれかに記載の記録装置。
【００６７】
［実施態様１２］  前記インクジェット記録ヘッドは、インクの吐出エネルギーとして利用される熱エネルギーを発生する電気熱変換体を有することを特徴とする実施態様１１に記載の記録装置。
【００６８】
［実施態様１３］  記録媒体に記録材を付与することによって記録が可能な記録方法において、
前記記録媒体に、それ自体の記録位置に対応付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする記録方法。
【００６９】
［実施態様１４］  記録媒体に付与された第１の記録材によって、それ自体の記録位置に関連付けられる位置情報の画像が記録された記録媒体であって、
前記記録媒体は、その他の画像を記録するために第２の記録材の付与が可能であり、
前記第１の記録材は、前記第２の記録材は検出しない所定の検出手段によって検出可能な記録材であることを特徴とする記録媒体。
【００７０】
［実施態様１５］  記録媒体に付与された第２の記録材によって画像が記録された記録媒体であって、
前記記録媒体は、それ自体の記録位置に対応付けられる位置情報の画像を記録するために第１の記録材の付与が可能であり、
前記第２の記録材は、前記第１の記録材を検出可能な所定の検出手段によって検出されない記録材であることを特徴とする記録媒体。
【００７１】
［実施態様１６］  第１の記録材の付与によって、それ自体の記録位置に対応付けられる位置情報の画像が記録され、かつ第２の記録材の付与によってその他の画像が記録された記録媒体であって、
前記第１の記録材は所定の検出手段によって検出可能な記録材であり、前記第２の記録材は前記検出手段によって検出されない記録材であることを特徴とする記録媒体。
【００７２】
［実施態様１７］  記録データに基づいて、記録装置が記録媒体に記録材を付与することによって記録が可能な記録システムにおいて、
前記記録媒体に、それ自体の記録位置に関連付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする記録システム。
【００７３】
［実施態様１８］  記録媒体に記録材を付与することによって記録をするためのプログラムであって、
前記記録媒体に、それ自体の記録位置に関連付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録する工程をコンピュータに実行させることを特徴とするプログラム。
【００７４】
［実施態様１９］  実施態様１８に記載のプログラムが格納された、コンピュータにより読み取り可能な記憶媒体。
【００７５】
【発明の効果】
以上説明したように、本発明は、それ自体の記録位置に関連付けられる位置情報の画像と、その他の画像との内の少なくとも一方を記録媒体に記録するときに、その他の画像と混同しない位置情報の画像の検出を可能とするために、位置情報の画像の記録用記録材と、その他の画像の記録用記録材の種類を異ならせることにより、ユーザーは位置情報の検出を阻害することなく、自由に位置情報や画像を記録することができる。
【００７６】
特に、位置情報は、その自体の記録位置に関連付けられる情報であって、その内容に応じて記録媒体上における記録位置が必然的に特定されるものであるため、例えば、その他の画像の記録位置を避けるように位置情報の画像の記録位置を自由に設定することはできない。本発明によれば、このように記録位置の制限を受ける位置情報の画像と、その他の画像とを自由に記録することができる。
【００７７】
また、位置情報の画像を記録した記録媒体は、例えば、「ペン入力法」において利用することができ、ユーザーは、このような記録媒体を必要に応じてオンデマンドに作成することができる。その場合、手書き位置を特定する領域の形状、サイズ、相対的位置などを柔軟に設定すべく、位置情報の画像を記録媒体に自由に記録して使用することができる。また、ユーザーは、位置情報の画像を記録した記録媒体を必要に応じて作成することにより、位置情報の画像が記録された記録媒体を購入して、それを保管管理する必要もない。
【図面の簡単な説明】
【図１】本発明を適用可能なインクジェット記録装置の要部の斜視図である。
【図２】本発明の第１の実施形態における記録装置のブロック構成図である。
【図３】図２における上位装置のブロック構成図である。
【図４】本発明の第１の実施形態における位置情報の画像の説明図である。
【図５】本発明の第１実施形態における画像処理を説明するためのフローチャートである。
【図６】本発明の第１実施形態における画像処理を説明するためのフローチャートである。
【符号の説明】
１００    記録装置
１０１    キャリッジ
１０２，１０３  ガイド軸
１０４    記録ヘッド
１０５  記録媒体
１０６    送りローラ
１０７  プラテン
１０８  スイッチ部と表示部
４０１    受信バッファー
４０２    ＣＰＵ
４０３    ランダムアクセスメモリ部
４０４    機械コントロール部
４０５    機械部
４０６    センサ／ＳＷコントロール部
４０７    センサ／ＳＷ部
４０８    表示素子コントロール部
４０９    表示素子部
４１０    記録ヘッドコントロール部
５００    上位装置
【図１】
2004167815.tif 000004
【図２】
2004167815.tif 000005
【図３】
2004167815.tif 000006
【図４】
2004167815.tif 000007
【図５】
2004167815.tif 000008
【図６】
2004167815.tif 000009